(57)【要約】【課題】Ｃ形鋼からなる母屋間に屋根材を落とし込んで施工できる建築物の屋根構造及び屋根の施工方法を提供する。【解決手段】  本発明の建築物の屋根構造は、躯体１に所定間隔にて二本のＣ形鋼２，２を背中合わせに組み合わせて固定し、各Ｃ形鋼２に屋根材３を取り付けた屋根構造であって、それぞれ屋根材３の端縁（取付端部３２）を各Ｃ形鋼２の開口部内に位置させ、各端縁にカバー材５を重合させて取り付けてなることを特徴とする。【選択図】図３
2011179315.tif 000002
【特許請求の範囲】
【請求項１】
躯体に所定間隔にて二本のＣ形鋼を背中合わせに組み合わせて固定し、各Ｃ形鋼に屋根材を取り付けた屋根構造であって、
それぞれ屋根材の端縁を各Ｃ形鋼の開口部内に位置させ、各端縁にカバー材を重合させて取り付けてなることを特徴とする建築物の屋根構造。
【請求項２】
躯体に所定間隔にて二本のＣ形鋼を背中合わせに組み合わせて固定し、隣り合う組み合わせ形鋼の間に屋根材を配設する屋根構造の施工方法であって、
それぞれ屋根材の端縁を各Ｃ形鋼の開口部内に位置させ、各端縁にカバー材を重合させて取り付けることを特徴とする建築物の屋根の施工方法。
【発明の詳細な説明】
【技術分野】
【０００１】
本発明は、Ｃ形鋼からなる母屋間に屋根材を落とし込んで施工できる建築物の屋根構造及び屋根の施工方法に関する。
【背景技術】
【０００２】
従来、金属屋根を施工するには、Ｃ形鋼などの母屋の上に野地板や断熱材を敷き込んで金属屋根を葺くのが一般的であった。例えば特許文献１には、建築物の構造材（Ｃ形鋼）上にフレーム３、取付具４、取付部材５などを取り付け、この取付部材５に網状の支持部材９を配することで、取付部材５と下地材１で矩形の受部を形成してこの受部内に天井板２を配設する構成が提案されている。或いは折板等のように野地板なしで母屋上に葺く工法もある。
【０００３】
一方、本願出願人は、断面「ユ」型の構造材を用いることにより屋根厚みを低減する提案（例えば特許文献２など）を行っている。
【先行技術文献】
【特許文献】
【０００４】
【特許文献１】実公平７−５１５３６号公報
【特許文献２】特開平１１−３３６２４４号公報
【発明の概要】
【発明が解決しようとする課題】
【０００５】
しかしながら、前記特許文献１に記載の構造では、母屋（Ｃ形鋼）上からの屋根厚みが厚くなるものであった。このように屋根厚みが厚いという問題は、例えば母屋上にタイトフレーム状の支持部材を配して屋根板を配する多くの構造にも共通する問題でもあり、地球環境を叫ばれている現在では高断熱や屋上緑化、太陽電池などの仕様も増え、さらに屋根の厚みが増すばかりである。
さらに、前記特許文献１の構造では、多種類の部材３〜５が必要であるため、部材管理の面で面倒となり、部材数が増加することで当然取付作業の手間もかかっていた。また、高さ方向の厚みの変化（天井板２の有無、天井板２の厚さ等）に併せて取付具４やフレーム３を変更しなければならず、天井板２の有無や天井板２の厚さがその上方に施工される屋根構造に影響するという問題もあった。
【０００６】
また、前記特許文献２の構造では、使用される断面「ユ」型の構造材がＨ形鋼、Ｃ形鋼（コ形鋼）、Ｉ形鋼などの形鋼のように一般資材でないため、一般的には受け入れ難く、特に強度特性を重視する公共物件にも受け入れにくいという問題があった。
【０００７】
そこで、本発明は、前記従来の問題点を解消することができる屋根構造及びその施工方法を提供することを目的とする。
【課題を解決するための手段】
【０００８】
本発明は、上記に鑑み提案されたもので、躯体に所定間隔にて二本のＣ形鋼を背中合わせに組み合わせて固定し、各Ｃ形鋼に屋根材を取り付けた屋根構造であって、それぞれ屋根材の端縁を各Ｃ形鋼の開口部内に位置させ、各端縁にカバー材を重合させて取り付けてなることを特徴とする建築物の屋根構造（以下、第二の態様という）に関するものである。
【０００９】
また、本発明は、前記屋根構造において、Ｃ形鋼の内部に取り付けられる固定部材により屋根材の端縁をＣ形鋼の開口部に挟着させたことを特徴とする建築物の屋根構造をも提案する。
【００１０】
さらに、本発明は、躯体に所定間隔にて二本のＣ形鋼を背中合わせに組み合わせて固定し、隣り合う組み合わせ形鋼の間に屋根材を配設する屋根構造の施工方法であって、それぞれ屋根材の端縁を各Ｃ形鋼の開口部内に位置させ、各端縁にカバー材を重合させて取り付けることを特徴とする建築物の屋根の施工方法をも提案する。
【発明の効果】
【００１１】
本発明の建築物の屋根構造は、母屋として用いられているＣ形鋼に直接的に屋根材を取り付ける構造であって、母屋（Ｃ形鋼）自体を屋根材の支持部材として用いる構造と言い換えることもできるので、屋根構造の厚みを薄くすることができる。そして、従来の多数種の部材を母屋に取り付ける構造に比べて面倒な部材管理、面倒な取付作業を不要とし、溶接不良の心配もなく、安全且つ確実に、手間もかからず施工できる。
さらに、カバー材が必要となるが、例えば屋根材は左右対称とすることもできる。
【００１２】
また、一般資材として用いられているＣ形鋼を用いるので、一般的に受け入れ易く、特に強度特性を重要視する公共物件にも受け入れ易いものとなる。また、同時に野地板の敷き込みが不連続になることはなく、内部結露、遮音、熱収縮音発生などのクレームの心配が軽減される。
【００１３】
特に、Ｃ形鋼の内部に取り付けられる固定部材により屋根材の端縁をＣ形鋼の開口部に挟着させた場合、ビス止めする場合に比べて屋根材の端縁を容易に且つ強固に取り付けることができる。
【００１４】
本発明の施工方法は、前記のように母屋として用いられているＣ形鋼に直接的に屋根材を取り付け、母屋（Ｃ形鋼）自体を屋根材の支持部材として用いるので、従来の多数種の部材を母屋に取り付ける構造に比べて面倒な部材管理、面倒な取付作業を不要とし、溶接不良の心配もなく、安全且つ確実に、手間もかからず施工できる。
【図面の簡単な説明】
【００１５】
【図１】（ａ）本発明の参考例を示す断面図、（ｂ）それに用いた屋根材を示す側面図、（ｃ）それに用いたＣ形鋼を示す側面図である。
【図２】（ａ）固定部材（部分吊子）を用いた屋根構造の一実施例を示す側断面図、（ｂ）それに用いた固定部材（部分吊子）の正面図、（ｃ）取付端部の端縁をビス止めした屋根構造の一実施例を示す断面図である。
【図３】（ａ）本発明の一実施例を示す断面図であって屋根材を取り付ける状態を示す断面図、（ｂ）固定部材及びカバー材を取り付ける状態を示す断面図、（ｃ）施工状態を示す断面図である。
【図４】（ａ）使用する固定部材（固定調整金具）の側面図、（ｂ）本体の正面図、（ｃ）Ｃ型鋼の正面図、（ｄ）Ｃ形鋼の内部に固定部材（固定調整金具）を挿入する状態を示す断面図、（ｅ）屋根材を配設する状態を示す断面図、（ｆ）施工状態を示す断面図、（ｇ）止水材を用いた態様を示す断面図である。
【図５】（ａ）本発明の他の参考例を示す断面図であって固定部材（固定調整金具）を取り付ける状態を示す断面図、（ｂ）屋根材の重合端部を配設する状態を示す断面図、（ｃ）施工状態を示す断面図である。
【図６】（ａ）上葺き屋根として用いる金属屋根、（ｂ）太陽電池システム、（ｃ）緑化システムを示す断面図、（ｄ）下葺き屋根として用いる本発明の屋根構造の一実施例を示す断面図、（ｅ）断熱材を配して下葺き屋根とした実施例を示す断面図である。
【発明を実施するための形態】
【００１６】
本発明の建築物の屋根構造は、母屋（躯体）として所定間隔に固定されているＣ形鋼に直接的に屋根材を取り付ける構造である。このＣ形鋼は、一般資材として用いられ、社団法人日本鉄鋼連盟ではリップ溝形鋼とも称され、極めて強度特性が高いものである。
【００１７】
本発明にて、屋根材を取り付けるＣ形鋼は、保持部材（吊子）として機能させるものであって、このＣ形鋼の形状的特徴である上顎状の下向き片、下顎状の上向き片、及び溝状の内部空間の何れか一つ或いは複数を取付場所として有効に利用する。
このＣ形鋼は、躯体上に所定間隔に固定され、断面形状がＨ形、Ｉ形、Ｃ形、コ形等、多様な需要分野ごとの目的に応じ、鋼材組成や定形寸法なども多種類に及ぶ形鋼などと共に母屋を構成している。また、鉄骨等に限定されるものではなく、ＲＣ、木造等の躯体、或いはその表面上に発泡断熱材（ポリスチレン等）を配した上に取り付けられるものであってもよい。
【００１８】
前記Ｃ形鋼に取り付ける屋根材は、屋根表面に用いられる外装材でもよいし、屋根内部に用いられる下葺き材でもよい。このような屋根材としては、表面化粧鋼板、ラミネート鋼板、メッキ鋼板、ステンレス鋼板、アルミ合金板、チタン合金板、銅板、真鍮板、鉛板等の公知の金属素材等が適宜に用いられ、また表面側に防水シートが全面的に貼設されたものでもよく、逆に裏面側に金属同士の接触を阻害するための裏貼りシートを貼設したものでもよい。そして、これらを必要に応じてロール成形、或いはプレス成型、或いは両者の組合せにより成形（成型）したものを用いればよく、その素材厚は特に限定するものではない。また、Ｃ形鋼との接触部分や屋根材同士の接触部分に発泡系ゴム等の適宜材料を添設して止水作用や接触阻害作用を得るようにしてもよい。
【００１９】
屋根材は、図示参考例の態様では、一方の端縁をＣ形鋼の開口部内に位置させる取付端部とし、他方の端縁をＣ形鋼を覆うと共に一方の端縁に重合する重合端部とする。尚、「端縁」とは、先端のみを指すものではなく、先端付近（近傍）を指すものとする。したがって、「端縁を開口部内に位置させる」とは、先端は必ずしも開口部内に位置していなくてもよく、先端付近（近傍）の一部が開口部内に位置していればよい。
【００２０】
そして、取付端部（一方の側縁）は、開口部内にビス止め、係止（嵌合を含む）、或いは挟着などにて取り付けられる。ビス止めの場合には、ビス孔からの水の浸入を防止するため、止水材を用いることが望ましいが、その外側を他方の端縁（重合端部）にて覆う（重合する）ので、必ずしも止水材は必要ではない。尚、挟着とは、Ｃ形鋼と固定部材（部分吊子）との間に係止することを指す。
【００２１】
それに対し、重合端部（他方の側縁）は、Ｃ形鋼の他方側から臨んで上フランジを覆い、さらに前記取付端部に重合する。この重合端部の取付手段については係合（嵌合を含む）にてＣ形鋼に取り付けられることが望ましい。
【００２２】
本発明においては、二本のＣ形鋼の開口部がそれぞれ外方を向くように背中合わせに組み合わせて固定する。
また、屋根材は、両方の端縁が開口部内に位置させる取付端部となる。
そして、屋根材の各端縁（取付端部）にカバー材を重合させて取り付ける。
このカバー材は、組み合わせ形鋼の各上フランジを覆う傘状部と、その両端に設けられる脚状部とからなり、脚状部は、前記図示参考例の態様における屋根材の他方の端縁（重合端部）とほぼ同様の構成である。
【００２３】
前記のように本発明においてＣ形鋼は、保持部材（吊子）として機能させるが、取付端部の取り付けに際して別部材の固定部材（補助保持部材）を用い、取付端部をＣ形鋼との間に挟着状に保持してもよい。
この固定部材としては、各種の構成があるが、以下の態様のものが好ましい。
【００２４】
・固定部材（部分吊子）ア
ビス等にて取り付けた施工後には、この固定部材と取付端部を挟着状に保持するものである。
例えば図示実施例（固定部材４）に示すようにＣ形鋼の開口部内に位置させた取付端部を押圧する脚片と、Ｃ形鋼に固定される固定部とを備え、固定部を固定した状態では脚片は取付端部の外側に沿い、取付端部をＣ形鋼の内面に挟着状に保持する。
【００２５】
・固定部材（固定調整金具）イ
締め付け圧力を加減しつつ取付端部を押圧してＣ形鋼の内面に挟着状に圧着するものである。
例えば図示実施例（固定部材７）に示すようにＣ形鋼の開口部内に取付端部を位置させた状態で、調整ボルトを締め付けることにより、縦片状の本体の内端にて取付端部を下フランジの上向き片の内面に圧着すると共に本体の外端を上フランジの下向き片の内面に挟着状に保持して自らの定着性も確保できる。
【実施例１】
【００２６】
図１（ａ）に示す参考例は、躯体１にピース材であるＬ型アングル材１０を介して所定間隔でＣ形鋼２が固定され、Ｃ形鋼２の開口部側（図面左側）に配した屋根材３ａの端縁（以下、取付端部という）３２を開口部内に位置させ、背面側に配した屋根材３ａの端縁（以下、重合端部という）３３を開口部側の屋根材３ａに重合させて取り付けられている。
【００２７】
図示参考例のＣ形鋼２は、前述のようにリップ溝形鋼とも言われるものであって、縦ウエブ２１は鉛直状で、共に図面左方へ延びる上フランジ２２及び下フランジ２３は水平状である。また、上フランジ２２の先端には上顎状の鉛直状下向き片２２１が設けられ、下フランジ２３の先端には下顎状の鉛直状上向き片２３１が設けられている。そして、このＣ形鋼２は、極めて強度特性が高いものである。
【００２８】
図示参考例の屋根材３ａは、図１（ｂ）に示すように略平坦状の面板部３１に左右非対称状の取付端部３２，重合端部３３を設けた構成であり、取付端部３２は、面板部３１の右端を傾斜状に折り上げると共に、外側へ略コ状に突出する隆起部分３２１を形成した構成であり、ぞの上下には基端側の下側折り上げ部分３２２、上端側の上側折り上げ部分３２３が形成されている。
Ｃ形鋼２を覆うと共に前記取付端部３２に重合する重合端部３３は、面板部３１の左端を傾斜状に折り上げて途中に略く字状の折曲部分を形成し、その上端を略水平方向に折曲して水平部３３１とし、その先端を傾斜状に折り下げて前記折り上げ傾斜部分とほぼ同様に加工した。そして、略く字状の折曲部分を３３２、その下方の添設部を３３３とした。
【００２９】
そして、図１（ａ）の屋根構造を施工するには、躯体１にＬ型アングル材１０を介して固定したＣ形鋼２，２間に、屋根材３ａを落とし込むように配し、まずＣ形鋼２の開口部側に配した屋根材３ａの取付端部３２を開口部内に位置させるように取り付ける。
より具体的には、取付端部３２の隆起部分３２１を、Ｃ形鋼２の開口部から、即ち上向き片２３１と下向き片２２１との間から内部に配置させる（係止させる）と共に、上側折り上げ部分３２３を下向き片２２１の外側に沿わせる。尚、この上側折り上げ部分３２３と下向き片２２１については、図２（ｃ）に示すようにビス止めするようにしてもよい。
【００３０】
次に、Ｃ形鋼３の背面側に配した屋根材３ａの重合端部３３を、Ｃ形鋼２を覆うと共に取付端部３２に重合するように取り付ける。
より具体的には、重合端部３３の水平部３３１を、Ｃ形鋼３の上フランジ２２の上面に被覆状に沿わせ、略く字状の折曲部分３３２及びその下方の添設部３３３が前記隆起部分３２１の外側（より詳細には隆起部分３２１の外側にで形成された凹状空間）に配置するように取り付けた。
【００３１】
このように施工される屋根構造は、母屋として用いられているＣ形鋼２に直接的に屋根材３ａを取り付ける構造であって、母屋（Ｃ形鋼２）自体を屋根材３ａの支持部材として用いる構造と言い換えることもでき、屋根構造の全体厚みを薄くすることができる。
【００３２】
また、図示参考例の施工状態では、重合端部３３の添設部３３３と取付端部３２の下側折り下げ部分３２３とは恰も上下に連続するような面を形成した。
【００３３】
図２（ａ）に示す参考例は、前記図１の参考例に、図２（ｂ）に示す固定部材（部分吊子）４を取り付けた構成である。
この固定部材４は、材質は主にアルミ、ステンレス、硬質樹脂であり、押出成型、プレス成型、ロール成型などにて成型されるものであって、前記アの態様、即ちＣ形鋼２の開口部内に位置させた屋根材３ａの取付端部３２を上方から押さえる脚片４１と、Ｃ形鋼２の上フランジ２２に固定される固定部４２（ビス４３）とを備える部分吊子であって、配設状態では、脚片４１は隆起部分３２１と折曲部分３３２，添設部３３３との間に配設される。そのため、屋根材３ａの取付端部３２は、開口部内に係止されると共に、固定部材４の脚片４１とＣ形鋼２との間に挟着状に保持され、より安定に取り付けられる。
図２（ｃ）に示す参考例は、前記図１の参考例における屋根材３ａの取付端部３２の上側折り上げ部分３２３を、Ｃ形鋼２の下向き片２２１の外側に沿わせた状態で、ビス３２４によってビス止めしている。この参考例でも、取付端部３２はより安定に取り付けられるものとなる。
【００３４】
この図２（ａ）の屋根構造は、部分吊子である固定部材４が屋根材３ａの取付端部３２を挟着状に保持するので、前記図１の屋根構造のように屋根材３ａの取付端部３２を係止（嵌合）のみで取り付ける場合に比べて、より安定な取付強度が得られる。図２（ｃ）の屋根構造も、屋根材３ａの取付端部３２をビス止めしたので、係止（嵌合）とビス止めにて取り付けられるものとなり、安定な取付強度が得られる。
【００３５】
図３（ｃ）に示す実施例は、躯体１に所定間隔にて二本のＣ形鋼２，２を背中合わせに組み合わせて固定し、各Ｃ形鋼２，２に屋根材６，６を取り付けた屋根構造であって、それぞれ屋根材６，６の取付端部６２を各Ｃ形鋼２の開口部内に位置させ、各取付端部６２にカバー材５を重合させて取り付けている。
この屋根構造における屋根材６は、両方の端縁が開口部内に位置させる取付端部６２である以外は、前記屋根材３ａと同様と同じ構成であって、固定部材４を用いて取り付ける構成は、前記図２（ａ）と同様である。さらに、カバー材５は、前記屋根材３ａ，６と略同様の素材からなり、中央が頂部となる傘状部５１と、その両端に設けられる脚状部５２，５２とからなり、脚状部５２の形状は、前記図２（ａ）の参考例における屋根材３ａの重合端部３３の折曲部分３３２，添設部３３３とほぼ同様である。
【００３６】
そして、図３（ｃ）の屋根構造を施工するには、図３（ａ）に示すように躯体１にＬ型アングル材１０を介してＣ形鋼２，２を背中合わせに組み合わせて固定し、隣り合う組み合わせ形鋼II，II間に、屋根材６を落とし込むように配し、屋根材６の取付端部６２を開口部内に位置させるように取り付ける。より具体的には、取付端部６２の隆起部分６２１を、Ｃ形鋼２の開口部から内部に配置させる（係止させる）と共に、上側折り上げ部分６２３を下向き片２２１の外側に沿わせる。
【００３７】
次に、固定部材４を取り付けるが、前記図２（ａ）の参考例と同様に脚片４１を、Ｃ形鋼２の開口部内に位置させた屋根材６の取付端部６２を上方から押さえるように臨ませた状態で、固定部４２を、Ｃ形鋼２の上フランジ２２にビス４３にて固定する。
その後、図３（ｂ）に示すように、カバー材５を固定部材４の固定部４２の上方から被せ、脚状部５２が前記隆起部分６２１の外側（より詳細には隆起部分６２１の外側にで形成された凹状空間）に配置するように取り付けた。
【００３８】
こうして得られる図３（ｃ）の屋根構造では、組み合わせ形鋼IIを用いたので開口部が左右両側に形成されるが、それらを固定部材４，４が覆うので、強度の弱点部とならず、高強度の屋根構造が得られ、さらに左右対称の屋根材６を適用することができる。
【００３９】
図４（ｆ）に示す参考例は、図４（ａ）〜（ｄ）に示す固定部材（固定調整金具）７を用いて屋根材３ｂの取付端部３２を保持するようにした例である。
この固定部材７は、アルミ等の押出材などにて略Ｌ字状に成形された本体と、調整ボルト７０とからなる固定調整金具であり、前記イの態様、即ちＣ形鋼の開口部内に位置させた状態で押圧（係止）できる機構を備え、その機構により屋根材３ｂの端縁を押さえ付けると共に自らの定着性も確保することができる。
【００４０】
この固定部材７の略Ｌ字状本体は、矩形状の縦面部７１と略水平状の底面部７２とでＬ型を形成しており、縦面部７１の上端には底面部７２と逆方向に突出する横面部７３とからなる。
図４（ｂ），（ｃ）に示すように縦面部７１の高さ寸法は、Ｃ形鋼２の開口部Ｂより大きくその高さＡより小さいものであり、縦面部７１の幅寸法Ｙは、Ｃ形鋼２の開口部Ｂより小さく、斜め寸法Ｘは、Ｃ形鋼２の高さＡより小さく形成されている。そして、この縦面部７１には、調整ボルト７０が軸着されている（７０１はナット溶接）。
【００４１】
この固定部材７の取付手順は、以下の通りである。尚、固定部材７の取り付けに先立って屋根材３ｂの取付端部３４をＣ形鋼２に取り付けておく。
まず、Ｃ形鋼２の開口部に対し、図４（ｄ）に示すように幅寸法Ｙが高さになるように本体を回動した状態で矢印方向にスライドさせてＣ形鋼２の内部に固定部材７を位置させる。
次に、この状態で固定部材７を回動して図４（ａ）のようにＬ字形側面を見せるように配する。この時、底面部７２は、屋根材３ｂの取付端部３４（谷状部３４２）上に載置されている。
この状態で、開口部の外側から調整ボルト７０を締め付けると、調整ボルト７０の内端がＣ形鋼２の縦ウエブ２１の内面に当接し、その後はナット溶接７０１の作用により本体を開口部側へ押し返すように作用する。そのため、縦面部７１の下端であって底面部７２の基端部分は取付端部３４（山状部３４１）に側方から強く押し付けられ、取付端部３４を安定に保持することができる。さらに、横面部７３の先端はＣ形鋼２の下向き片２２１の内面に強く押し付けられるので、例えば傾動することもなく、固定部材７自体が安定に取り付けられるものとなる。
【００４２】
また、この図４の参考例における屋根材３ｂは、略平坦状の面板部３１に左右非対称状の端縁（取付端部、重合端部）を設けた点では共通しているが、その端縁形状が異なる。
この参考例における取付端部３４は、図４（ｅ）に示すように面板部３１の右端を傾斜状に折り上げてその上端を折り返して形成した山状部３４１と、その外側に略水平状に延在させてその外縁を折り上げた谷状部３４２とからなる。また、この参考例における重合端部３５は、前記重合端部３３とほぼ同様であり、Ｃ形鋼２の上フランジ２２に沿う部分を水平部３５１、略く字状の折曲部分を３５２、その下方の添設部を３５３とした。
【００４３】
そして、図４（ｆ）の屋根構造を施工するには、躯体１にＬ型アングル材１０を介して固定したＣ形鋼２，２間に、屋根材３ｂを落とし込むように配し、まずＣ形鋼２の開口部側に配した屋根材３ｂの取付端部３４を開口部内に位置させるように取り付ける。
次に、前記の固定部材７を、前述の手順にて取り付ける。
その後、Ｃ形鋼３の背面側に配した屋根材３ｂの重合端部３５を、Ｃ形鋼２を覆うと共に取付端部３４に重合するように取り付ける。
【００４４】
このように施工される図４の屋根構造は、固定調整金具である固定部材７を用いて屋根材３ｂの取付端部３４をＣ形鋼２内に挟着状に保持したので、屋根材３ｂの取付強度が極めて高いものとなる。
【００４５】
尚、図示参考例では、取付端部３４の山状部３４１の頂部の外側に、重合端部３５の添設部３５３の内側片を載置状に保持するようにしたが、図４（ｇ）に示すように、保持部分に発泡系ゴムである止水材３５４を配設するようにしてもよい。
【００４６】
図５に示す外装構造は、前記図４と同様に固定部材（固定調整金具）７を用いた例であって、屋根材３ｃの取付端部３６及び重合端部３７の形状構成が異なる以外は、殆ど同様の構成であるから、同一符号を付して説明を省略する。
尚、取付端部３６の３６１は山状部、３６２は谷状部、重合端部３７の３７１は水平部、３７２は略く字状の折曲部分、３７３はその下方の添設部である。
内に屋根材の端縁を位置させた状態で、調整ボルトを締め付けることにより、開口部側の下端を屋根材の端縁に押し付けると共に開口部側の上端をＣ形鋼の上顎部分の内側に押し付けることができる。
【００４７】
この図５の屋根構造も、前記図４の屋根構造と同様に固定調整金具である固定部材７を用いて屋根材３ｃの取付端部３６をＣ形鋼２内に挟着状に保持したので、屋根材３ｃの取付強度が極めて高いものとなる。
【００４８】
図６は、前記図４における屋根材３ｂを下葺き材として用いるものであって、その上に、例えば図６（ａ）に示す金属屋根を上葺き屋根として構築してもよいし、図６（ｂ）に示す太陽電池モジュールを敷設してもよいし、図６（ｃ）に示す緑化構造を形成してもよい。また、図６（ｅ）に示すように図４の屋根構造における屋根材３ｂの上に定形の断熱材８ａ，８ｂを敷設して下屋根構造としてもよい。
尚、９ａは金属屋根板、９ｂは下部吊子、９ｃは上部吊子、９ｄはキャップ材、９ｅは断熱材、９ｆは太陽電池モジュール、９ｇは保持フレーム類、９ｈは植物、９ｉは土壌（上層）、９ｊは植栽パレット、９ｎは土壌（軽量）である。
【符号の説明】
【００４９】
１  躯体
２  Ｃ形鋼
３ａ，３ｂ，３ｃ  屋根材
３１  面板部
３２  取付端部
３３  重合端部
４  固定部材（部分吊子）
５  カバー材
６  屋根材
７  固定部材（固定調整金具）
【図１】
2011179315.tif 000003
【図２】
2011179315.tif 000004
【図３】
2011179315.tif 000005
【図４】
2011179315.tif 000006
【図５】
2011179315.tif 000007
【図６】
2011179315.tif 000008